(57)【特許請求の範囲】
【請求項１】
第一ガイドレールに上端部の移動方向２箇所が吊り下げられて内側移動経路を横動する第一の戸と、前記第一ガイドレールと平行な上側第二ガイドレールと下側第二ガイドレールとに係合する上下各横動体に平行リンク機構を介して上下両端部が支持されて、前記内側移動経路内と当該内側移動経路の外側の外側移動経路内との間を平行移動可能に構成されると共に、バネにより前記内側移動経路側へ付勢された第二の戸と、両戸が前記内側移動経路内で互いに突き合う閉じ状態から相対的に接近移動するとき、第二の戸を前記外側移動経路内へ平行移動させるためのカム手段が設けられている引き違い戸装置であって、前記閉じ状態にあるときに互いに突き合う両戸の端部が、第一の戸の端部に第二の戸の端部が被さる、互いに逆向きの横断面楔形に形成され、第一の戸の下端部には、戸移動方向両端近傍２箇所にローラーユニットが設けられ、前記閉じ状態にあるときに第二の戸に近い側のローラーユニットには、前記下側第二ガイドレールと平行で第一第二両戸で開閉される開口部の下側床板の前端面で構成された垂直レール面に当接する垂直軸ローラーが軸支され、第二の戸から遠い側のローラーユニットには、前記下側第二ガイドレールに係合する垂直軸ローラーが軸支されている、引き違い戸装置。
【請求項２】
第一ガイドレールに上端部の移動方向２箇所が吊り下げられて内側移動経路を横動する第一の戸と、前記第一ガイドレールと平行な上側第二ガイドレールと下側第二ガイドレールとに係合する上下各横動体に平行リンク機構を介して上下両端部が支持されて、前記内側移動経路内と当該内側移動経路の外側の外側移動経路内との間を平行移動可能に構成されると共に、バネにより前記内側移動経路側へ付勢された第二の戸と、両戸が前記内側移動経路内で互いに突き合う閉じ状態から相対的に接近移動するとき、第二の戸を前記外側移動経路内へ平行移動させるためのカム手段が設けられている引き違い戸装置であって、前記閉じ状態にあるときに互いに突き合う両戸の端部が、第一の戸の端部に第二の戸の端部が被さる、互いに逆向きの横断面楔形に形成され、第一の戸の下端部には、戸移動方向の両端近傍２箇所又は、前記閉じ状態にあるときに第二の戸に近い側の端部１箇所にローラーユニットが設けられ、この２つ又は１つのローラーユニットには、前記下側第二ガイドレールと平行で第一第二両戸で開閉される開口部の下側床板の前端面で構成された垂直レール面に当接する垂直軸ローラーが軸支されている、引き違い戸装置。
【請求項３】
前記第一ガイドレールは、第一の戸の上端部の内側に配設され、当該第一ガイドレールに嵌合するように第一の戸の上端部の内側に突設された水平軸ローラーと前記第一ガイドレールとの接点を支点に第一の戸に、前記垂直レール面に垂直軸ローラーが圧接する方向の回転力が作用するようにした、請求項１又は２に記載の引き違い戸装置。
【発明の詳細な説明】
【０００１】
【発明の属する技術分野】
本発明は、据え置き用家具や作り付け収納部等の開口部を開閉するのに利用される引き違い戸装置に関するものである。
【０００２】
【従来の技術】
この種の引き違い戸装置として、例えば特許第３０８０３４９号公報に記載されているように、開口部を閉じたときは２枚の戸が互いに突き合って連続一平面を形成し、開口部を開くために２枚の戸の何れか一方を開動させたときは、２枚の戸の一方が他方の戸の外側に平行移動して両戸が互いに内外に重なる状態となる引き違い戸装置が知られている。
【０００３】
この種の引き違い戸装置は、第一ガイドレールに上端部の移動方向２箇所が吊り下げられて内側移動経路を横動する第一の戸と、前記第一ガイドレールと平行な上側第二ガイドレールと下側第二ガイドレールとに係合する上下各横動体に平行リンク機構を介して上下両端部が支持されて、前記内側移動経路内と当該内側移動経路の外側の外側移動経路内との間を平行移動可能に構成されると共に、バネにより前記内側移動経路側へ付勢された第二の戸と、両戸が前記内側移動経路内で互いに突き合う閉じ状態から相対的に接近移動するとき、第二の戸を前記外側移動経路内へ移動させるためのカム手段が設けられたものである。
【０００４】
【発明が解決しようとする課題】
しかして、前記公報に記載された従来の引き違い戸装置は、第一の戸の下端部を案内する第一の戸専用の下側第一ガイドレールを使用するものであって、第二の戸専用の下側第二ガイドレールと合わせて２本の下側ガイドレールが、この引き違い戸装置で開閉する開口部の床板に配設されていたため、単に戸下端部の振れ止め手段のコストが高くつくばかりでなく、この引き違い戸装置で開閉する開口部の床板高さが高くなり、収納効率が低下することになっていた。
【０００５】
【課題を解決するための手段】
本発明は上記のような従来の問題点を解消し得る引き違い戸装置を提供することを目的とするものであって、その手段を後述する実施形態の参照符号を付して示すと、第一ガイドレール１７に上端部の移動方向２箇所が吊り下げられて内側移動経路を横動する第一の戸１と、前記第一ガイドレール１７と平行な上側第二ガイドレール１８と下側第二ガイドレール２１とに係合する上下各横動体１１，１５に平行リンク機構１０，１４を介して上下両端部が支持されて、前記内側移動経路内と当該内側移動経路の外側の外側移動経路内との間を平行移動可能に構成されると共に、バネ５２により前記内側移動経路側へ付勢された第二の戸２と、両戸１，２が前記内側移動経路内で互いに突き合う閉じ状態から相対的に接近移動するとき、第二の戸２を前記外側移動経路内へ平行移動させるためのカム手段５４が設けられている引き違い戸装置であって、前記閉じ状態にあるときに互いに突き合う両戸１，２の端部１ａ，２ａが、第一の戸１の端部１ａに第二の戸２の端部２ａが被さる、互いに逆向きの横断面楔形に形成され、第一の戸１の下端部には、戸移動方向両端近傍２箇所にローラーユニット６，７が設けられ、前記閉じ状態にあるときに第二の戸２に近い側のローラーユニット７には、前記下側第二ガイドレール２１と平行で第一第二両戸１，２で開閉される開口部３の下側床板１９の前端面で構成された垂直レール面２０に当接する垂直軸ローラー３２が軸支され、第二の戸２から遠い側のローラーユニット６には、前記下側第二ガイドレール２１に係合する垂直軸ローラー２８が軸支された構成となっている。
【０００６】
尚、請求項２に記載の発明では、第一の戸１の下端部の、戸移動方向の両端近傍２箇所又は、前記閉じ状態にあるときに第二の戸２に近い側の端部１箇所にローラーユニット７が設けられ、この２つ又は１つのローラーユニット７に、前記下側第二ガイドレール２１と平行で第一第二両戸１，２で開閉される開口部３の下側床板１９の前端面で構成された垂直レール面２０に当接する垂直軸ローラー３２が軸支された構成となっている。
【０００８】
尚、前記第一ガイドレール１７は、第一の戸１の上端部の内側に配設し、当該第一ガイドレール１７に嵌合するように第一の戸１の上端部の内側に突設された水平軸ローラー２２と前記第一ガイドレール１７との接点を支点に第一の戸１に、前記垂直レール面２０に垂直軸ローラー３２が圧接する方向の回転力が作用するように構成することが出来る。
【０００９】
【発明の実施の形態】
以下に本発明の好適実施形態を添付図に基づいて説明すると、図１〜図３に於いて、１は第一の戸、２は第二の戸、３は両戸によって開閉される開口部である。第一の戸１には、その上端部内側の戸移動方向両端近傍位置に吊り下げ用ローラーユニット４，５が取り付けられ、下端部内側の戸移動方向両端近傍位置には、振れ止め用ローラーユニット６，７が取り付けられている。第二の戸２には、その上端内側に戸移動方向一対の軸受けユニット８，９と平行リンク機構１０とを介して上側横動体１１が取り付けられ、下端部内側には、戸移動方向一対の軸受けユニット１２，１３と平行リンク機構１４とを介して下側横動体１５が取り付けられている。
【００１０】
図５に示すように、前記開口部３の上側天板１６の下側には、第一の戸１を移動可能に吊り下げる第一ガイドレール１７と第二の戸２を移動可能に吊り下げる上側第二ガイドレール１８とが付設され、開口部３の下側床板１９には、その前端面を利用して第一の戸１の振れ止め用垂直レール面２０が形成されると共に、床板１９の下側に第二の戸２の振れ止めのための下向き溝形の下側第二ガイドレール２１が埋設されている。尚、下側第二ガイドレール２１を床板１９の前端に取り付けて、その一部に前記第一の戸１の振れ止め用垂直レール面２０を形成しても良い。
【００１１】
前記第一ガイドレール１７と上側第二ガイドレール１８とは、それぞれの下側溝形レール部１７ａ，１８ａが同一レベルとなるように、上側第二ガイドレール１８の外側に第一ガイドレール１７を一体に連設したもので、上側第二ガイドレール１８には、その下側溝形レール部１８ａの真上に位置するように下向きの上側溝形レール部１８ｂが形成され、両ガイドレール１７，１８間の隔壁の上端部は、第一ガイドレール１７の溝形レール部１７ａを覆うように外側に屈曲して、その外端に、第一ガイドレール１７の溝形レール部１７ａの外側辺と面一に垂直レール面１７ｂが形成されている。この垂直レール面１７ｂは、溝形レール部１７ａの外側に直接形成しても良い。尚、両ガイドレール１７，１８は、当該上側溝形レール部１８ｂの下端レベルから連設された取り付け用板部１８ｃを介して前記天板１５の下側に、第二ガイドレール１８の上側溝形レール部１８ｂが天板１６に埋没する状態で取り付けられている。
【００１２】
図１、図２、及び図５に示すように、第一の戸１の吊り下げ用ローラーユニット４，５は、同一構造のもので、それぞれ前記第一ガイドレール１７の溝形レール部１７ａに嵌合する水平軸ローラー２２と、第一ガイドレール１７の垂直レール面１７ｂに当接する垂直軸ローラー２３とを備えている。尚、両ローラー２２，２３を軸支する軸受け部材２４は、戸１に埋設されるケーシング２５に対し高さ調整手段２６を介して高さ調整可能に支承され、この軸受け部材２４の高さ調整により、第一の戸１の吊り下げ高さを調整することが出来る。
【００１３】
第一の戸１の振れ止め用ローラーユニット６，７の内、戸後端側の振れ止め用ローラーユニット６は、床板１９の下側に延出するアーム２７を備え、当該アーム２７の先端上側に下側第二ガイドレール２１に嵌合する鍔付き垂直軸ローラー２８が軸支されている。前記アーム２７は、戸１に埋設されるケーシング２９に対し昇降可能で且つバネ３０により上向きに付勢された昇降部材３１に取り付けられている。又、戸前端側の振れ止め用ローラーユニット７は、床板１９側の垂直レール面２０に当接する垂直軸ローラー３２を備えている。
【００１４】
図１、図２、及び図６に示すように、第二の戸２の上側横動体１１は、戸移動方向一対のローラーユニット３３，３４を板面が垂直な帯状板３５で連結して成るもので、各ローラーユニット３３，３４には、上側第二ガイドレール１８の下側溝形レール部１８ａに嵌合する垂直軸ローラー３６と、上側溝形レール部１８ｂに嵌合する垂直軸ローラー３７とが１本の垂直支軸３８で軸支されると共に、上側第二ガイドレール１８の下側溝形レール部１８ａに嵌合する水平軸ローラー３９が軸支されている。この上側横動体１１と戸２とを連結する平行リンク機構１１は、各ローラーユニット３３，３４の本体と上側の垂直軸ローラー３７との間に於いて一端が前記垂直支軸３８に支承され且つ他端が戸２側の各軸受けユニット１２，１３に垂直支軸４０で支承された、戸移動方向一対の平行リンク４１，４２により構成されている。尚、軸受けユニット１２，１３側の垂直支軸４０は、戸２に埋設されるケーシング４３に対し高さ調整手段４４を介して高さ調整可能に支持されており、この垂直支軸４０の高さ調整により、第二の戸２の吊り下げ高さを調整することが出来る。
【００１５】
第二の戸２の下側横動体１５は、平行リンク機構１４を構成する戸移動方向一対の平行リンク４５，４６の先端上側に軸支された戸移動方向一対の鍔付き垂直軸ローラー４７，４８から構成されている。前記平行リンク４５，４６は、その一端が軸受けユニット１２，１３の下端に、床板１９の下側に延出するように垂直支軸４９を介して支承され、前記鍔付き垂直軸ローラー４７，４８は、床板１９側の下側第二ガイドレール２１に嵌合している。尚、前記平行リンク４５，４６を支承する垂直支軸４９は、戸２に埋設されるケーシング５０に対し昇降可能に支持されると共にバネ５１により上向きに付勢されている。
【００１６】
第二の戸２は、上下二組の平行リンク機構１０，１４により、図１に示すように第一の戸が第一ガイドレール１７に案内されて移動する内側移動経路内に位置して当該第一の戸１と前端どうし互いに突き合う開口部閉じ位置にある状態と、図３に示すように前記内側移動経路と平行でその外側（第一の戸１の外側）の外側移動経路内に位置する状態との間で平行移動可能であるが、当該第二の戸２を前記内側移動経路側へ付勢するバネが併設される。この実施形態では、図６に示すように、上側横動体１１の垂直支軸３８に嵌合される状態でローラーユニット３３，３４と平行リンク４１，４２との間に介装された一対の捩じりコイルバネ５２により第二の戸２を内側移動経路側へ付勢しているが、バネの介装位置や使用するバネの種類は、この実施形態に限定されない。又、前記バネ５２の付勢力により内側移動経路側へ付勢される第二の戸２が第一の戸１と面一になる内側移動経路を超えて内側に移動して、第一ガイドレール１７や床板１９などに当接しないように、位置決めストッパーが併設される。この第二の戸２の位置決めストッパーは、例えば図示のように、各軸受けユニット８，９（ケーシング４３）上に突設された突起５３によって構成出来るが、ストッパーを設ける位置等、この図示例に限定されない。
【００１７】
図１に示すように、第二の戸２が第一の戸１の移動経路、即ち、内側移動経路内に位置して当該第一の戸１と前端どうし互いに突き合う開口部閉じ位置にあるとき、図示のように、両戸１，２の突き合い端部１ａ，２ａは、第一の戸１の端部１ａの外側に第二の戸２の端部２ａが被さるように、それぞれ横断面が楔形になるように形成されている。そして、係る開口部閉じ位置にある両戸１，２を互いに接近移動させたとき、第二の戸２を第一の戸１の外側（外側移動経路）へ移動させるためのカム手段５４が設けられている。このカム手段５４は、第一の戸１の上端面及び下端面に付設されて戸端部１ａから戸移動方向に突出するカム５５，５６と、第二の戸２の上下各平行リンク機構１０，１４の一対の平行リンク４１，４２及び４５，４６の内、前記端部２ａに近い側のリンク４１、４５の両端支軸間で、前記カム５５，５６と同一レベルに垂直軸で軸支されたカム従動ローラー５７，５８とから構成されている。
【００１８】
前記カム５５，５６は、第一の戸１の後端まで達する直線状カム部５９，６０を備えており、この直線状カム部５９，６０と前記第二の戸２側のカム従動ローラー５７，５８、及び当該カム従動ローラー５７，５８が軸支されていない側の平行リンク４２，４６の直線状カム部５９，６０に対応する位置に軸支されたカム従動ローラー６１，６２により、図３に示すように、第一の戸１の外側で移動する第二の戸２を位置決めしている。
【００１９】
図１に示すように、第一及び第二両戸１，２が同一の内側移動経路内にあって、互いに突き合う状態の閉じ位置にあるとき、開口部３が当該両戸１，２によって閉じられることになる。そしてこのとき、カム手段５４に於ける第二の戸２側のカム従動ローラー５７，５８は、第一の戸１側のカム５５，５６の先端に隣接している。尚、この図１に示す開口部閉じ状態から第一の戸１及び第二の戸２が互いに離れる方向に移動するのを、開口部３の両側壁又はガイドレール１７，１８等に付設されたストッパーで阻止するように構成されている。
【００２０】
係る開口部閉じ位置にある状態から第一の戸１と第二の戸２とを互いに重なる方向に相対移動させたとき、第一の戸１のカム５５，５６の先端部が第二の戸２のカム従動ローラー５７，５８を外側へ押し出し、平行リンク機構１０，１４の前端側の平行リンク４１，４５を外向きに強制的に揺動させる。この結果、上側平行リンク機構１０の平行リンク４１，４２及び下側平行リンク機構１４の平行リンク４５，４６が外向きに平行揺動して、第二の戸２がバネ５２の付勢力に抗して内側移動経路内から外側移動経路内へ平行移動する。そして、外側移動経路内へ平行移動した第二の戸２の前端側の平行リンク４１，４５が備えるカム従動ローラー５７，５８は、両戸１，２の重なり方向への相対移動に伴って第一の戸１側のカム５５，５６の直線状カム部５９，６０に引き継がれて案内され、更に、両戸１，２の重なり方向への相対移動が進むことにより、第二の戸２の後端側の平行リンク４２，４６が備えるカム従動ローラー６１，６２も前記カム５５，５６の直線状カム部５９，６０に乗り移り、案内される。
【００２１】
尚、第二の戸２がバネ５２の付勢力に抗して内側移動経路内から外側移動経路内へ平行移動せしめられるとき、両戸１，２の突き合い端部１ａ，２ａどうしが互いに接触することがないように、両戸１，２の横断面楔形の突き合い端部１ａ，２ａの傾斜面をカム５５，５６の先端傾斜面と平行に形成しているが、両戸１，２の突き合い端部１ａ，２ａどうしが互いに接触することが無いように考慮しさえすれば、両戸１，２の突き合い端部１ａ，２ａの横断面形状は、上記の楔形に限定されない。
【００２２】
しかして、両戸１，２が閉じ位置にある図１に示す状態から第一の戸１を第二の戸２の方へ移動させたときは、当該第一の戸１によって第二の戸２が外側へ押し退けられ、第一の戸１は、外側へ平行移動した第二の戸２の内側、即ち、内側移動経路を移動することになり、第二の戸２を第一の戸１の方へ移動させたときは、当該第二の戸２が第一の戸１の外側へ乗り上げるように平行移動した状態で第一の戸１の外側、即ち、第一の戸１が移動する内側移動経路と平行な外側移動経路を移動することになる。このとき、バネ５２の付勢力による第二の戸２の内向き復帰力は、カム手段５４の上下一対のカム従動ローラー５７，５８及び上下一対のカム従動ローラー６１，６２を介して第一の戸１側の上下一対のカム５５，５６の直線状カム部５９，６０によって受け止められ、第二の戸２が第一の戸１の表面側に当接することはない。
【００２３】
そして、第一の戸１に作用する第二の戸２からの内向きの押圧力は、第一の戸１の上端側の各吊り下げ用ローラーユニット４，５の垂直軸ローラー２３が天板１６側の第一ガイドレール１７の垂直レール面１７ｂに当接し、更に下端側の振れ止め用ローラーユニット６の鍔付き垂直軸ローラー２８が床板１９側の下側第一ガイドレール２１に嵌合すると共に、振れ止め用ローラーユニット７の垂直軸ローラー３２が床板１９側の垂直レール面２０に当接していることにより、天板１６及び床板１９側で受け止められる。従って、第一の戸１及び第二の戸２は、何れも円滑に移動させることが出来る。
【００２４】
上記のように第一の戸１を第二の戸２の内側へ、又は第二の戸２を第一の戸１の外側へ重ねるように移動させて開口部３を開くことが出来るが、図３に示すように、両戸１，２が完全に重なったとき、共通の下側第一ガイドレール２１に案内される第二の戸２の下側横動体１５（鍔付き垂直軸ローラー４７及び平行リンク４５）と第一の戸１の振れ止め用ローラーユニット６の鍔付き垂直軸ローラー２８及びアーム２７とが互いに干渉しないように、第一の戸１の振れ止め用ローラーユニット６の位置を第一の戸１の後端付近としている。勿論、第一の戸１は、外側に重なる第二の戸２から内向きに押圧されるので、振れ止め用ローラーユニット６には、鍔付き垂直軸ローラー２８及びアーム２７に代えて、振れ止め用ローラーユニット７と同様に、床板１９側の垂直レール面２０に当接する垂直軸ローラーを軸支するだけでも良い。このように構成しても、両戸１，２が図１に示す開口部閉じ位置にあるとき、第一の戸１の端部１ａに第二の戸２の端部２ａが被さっていることと、第一の戸１を吊り下げる吊り下げ用ローラーユニット４，５の水平軸ローラー２２が当該第一の戸１の内側面より内側にあって、第一の戸１には重力で下端が内側へ入る方向の回転力が作用していることとにより、両戸１，２が図１に示す開口部閉じ位置にあるときに第一の戸１が外側へ容易に揺動することは無い。
【００２５】
本発明の構成は上記実施形態のものに限定されない。例えば、第二の戸２の下側横動体１５も上側横動体１１と同様に構成することが出来るし、カム手段５４のカム及びカム従動ローラーは、上側のカム５５及びカム従動ローラー５７のみ、又は下側のカム５６及びカム従動ローラー５８のみで構成することも出来る。更に場合によっては、カム従動ローラー６１，６２は省くことが出来る。この他、特許第３０８０３４９号公報に記載されているようなカム手段を利用することも出来るし、当該特許第３０８０３４９号公報に記載されているような各種の変形例を採用することも出来る。
【００２６】
又、上記実施形態では、平行リンク機構１０，１４の各リンク４１，４２及び４５，４６は、第二の戸２側の端部（垂直支軸４０）に対し横動体１１，１５側の端部（垂直支軸３８又は垂直軸ローラー４７，４８）が、第二の戸２が第一の戸１の外側へ移動するときの移動方向の後方に位置するように傾斜させているが、平行リンク機構１０，１４の各リンク４１，４２及び４５，４６を、第二の戸２側の端部（垂直支軸４０）に対し横動体１１，１５側の端部（垂直支軸３８又は垂直軸ローラー４７，４８）が、第二の戸２が第一の戸１の外側へ移動するときの移動方向の前方に位置するように、逆向きに傾斜させても良い。
【００２７】
更に、上記実施形態に於ける第一の戸１の下端部の戸移動方向一対の振れ止め用ローラーユニット６，７の内、下側第二ガイドレール２１に嵌合する鍔付き垂直軸ローラー２８を備えたローラーユニット６は無くして、閉じ状態にあるときに第二の戸２に近い側のローラーユニット７のみとしても良い。又、図８に示すように、垂直レール面２０に当接する垂直軸ローラー３２を備えた２つのローラーユニット７を、第一の戸１の下端部の戸移動方向２箇所に配設しても良い。
【００２８】
【発明の効果】
本発明の引き違い戸装置は以上のように実施し且つ使用することができるものであって、係る本発明の引き違い戸装置によれば、第一の戸の下端部には床板の前端面や下側第二ガイドレールの前側面等を利用出来る垂直レール面に当接する垂直軸ローラーが軸支されたローラーユニットと、第二の戸の下端部を案内する下側第二ガイドレールに係合する垂直軸ローラーが軸支されたローラーユニットとを設け、これら両ローラーユニットで第一の戸の下端部の振れ止めを行うように構成したので、第一の戸専用の下端部振れ止め用ガイドレールが不要である。しかも、垂直レール面に当接する垂直軸ローラーが軸支されたローラーユニットのある側は、当該ローラーユニットと垂直レール面とで第一の戸が外側へ揺動するのを防止出来ないが、第一の戸が外側へ揺動し得る状態となるのは、両戸が互いに突き合って開口部を閉じる状態であって、係る状態では、バネにより内側へ付勢されている第二の戸の横断面楔形の端部が第一の戸の横断面楔形の端部に被さっているので、結果的に第一の戸が外側方へ容易に揺れ動くことは無い。
【００２９】
従って、本発明の構成によれば、構造が簡単になるだけでなく、この引き違い戸装置で開閉する開口部の下側床板高さを低くして、物品の出し入れ等も容易にし、収納効率を高めることが出来るものでありながら、開口部を閉じた状態に於いて、第一の戸が容易に外側方へ揺れ動くことの無い、安定した引き違い戸装置として活用することが出来る。しかも本発明の構成によれば、前記下側第二ガイドレールと平行な垂直レール面を、第一第二両戸で開閉される開口部の下側床板の前端面で構成するので、特別なレール材が不要であり、安価に実施することが出来る。
【００３０】
尚、請求項２に記載の本発明の構成によれば、第一の戸の下端部に第二の戸の下端部を案内する下側第二ガイドレールに係合する垂直軸ローラーも設ける必要がなく、構造が一層簡単になる。又、第二の戸の下端部を支持する下側横動体や当該下側横動体と第二の戸とを連結する平行リンク機構の構成や位置にも一切の制約が生じないので、実施が容易になる。勿論、この場合も、前記下側第二ガイドレールと平行な垂直レール面を、第一第二両戸で開閉される開口部の下側床板の前端面で構成するので、特別なレール材が不要であり、安価に実施することが出来る。
【００３２】
尚、請求項３に記載の構成によれば、第一の戸に、垂直レール面に垂直軸ローラーが圧接する方向の回転力が作用するように構成されるので、バネで第一の戸を内側に付勢したのと同じように、第一の戸を外側へ揺れ動くことのない安定した垂直姿勢に保持させることが出来る。
【図面の簡単な説明】
【図１】Ａ図は開口部を閉じた状態でのガイドレールを省略した平面図であり、Ｂ図は同横断平面図である。
【図２】開口部を閉じた状態でのガイドレール及び戸自体を省略した正面図である。
【図３】Ａ図は開口部を開いた状態でのガイドレールを省略した平面図であり、Ｂ図は同横断平面図である。
【図４】第二の戸の横動体及び平行リンク機構の一部を示す正面図である。
【図５】第一の戸とその支持構造を示す一部切欠き縦断側面図である。
【図６】第二の戸とその支持構造を示す一部切欠き縦断側面図である。
【図７】第一の戸と第二の戸とが内外に重なった状態での各戸とその支持構造を示す一部切欠き縦断側面図である。
【図８】別の実施形態を示す横断平面図である。
【符号の説明】
１    第一の戸
２    第二の戸
３    開口部
４，５    吊り下げ用ローラーユニット
６，７    振れ止め用ローラーユニット
８，９，１２，１３    軸受けユニット
１０，１４    平行リンク機構
１１    上側横動体
１５    下側横動体
１６    開口部上側天板
１７    第一ガイドレール
１８    上側第二ガイドレール
１９    開口部下側床板
２０    振れ止め用垂直レール面
２１    下側第二ガイドレール
２２，３９    水平軸ローラー
２３，３２，３６、３７    垂直軸ローラー
２８，４７，４８    鍔付き垂直軸ローラー
３３，３４    ローラーユニット
３５    帯状板
３８，４０，４９    垂直支軸
４１，４２，４５，４６    平行リンク
５２    捩じりコイルバネ
５３    突起（ストッパー）
５４    カム手段
５５，５６    カム
５７，５８，６１，６２    カム従動ローラー
５９，６０    直線状カム部
【図１】
0003594240.tif 000002
【図２】
0003594240.tif 000003
【図３】
0003594240.tif 000004
【図４】
0003594240.tif 000005
【図５】
0003594240.tif 000006
【図６】
0003594240.tif 000007
【図７】
0003594240.tif 000008
【図８】
0003594240.tif 000009